(57)【要約】  非肌面側に粘着部を有する吸収性物品であって、使用後に丸めた状態で維持することができ、かつ使用中の違和感や不快感を低減することができる吸収性物品を提供する。吸収性物品（１０）は、前後方向（Ｌ）と、前後方向（Ｌ）に直交する幅方向（Ｗ）と、着用者の肌とは反対側に向けられる裏面シート（２２）と、裏面シート（２２）の非肌面側に設けられた粘着部（７０）と、を有する。吸収性物品（１０）は、裏面シート（２２）の非肌面側に、吸収性物品（１０）の外縁よりも内側に配置されたテープ部材（６０）をさらに有する。テープ部材（６０）は、吸収性物品（１０）の外縁よりも外側に延出可能に構成されている。
2017221941.tif 000002
【特許請求の範囲】
【請求項１】
前後方向と、
前記前後方向に直交する幅方向と、
着用者の肌とは反対側に向けられる裏面シートと、
前記裏面シートの非肌面側に設けられた粘着部と、を有する吸収性物品であって、
前記裏面シートの非肌面側に、前記吸収性物品の外縁よりも内側に配置されたテープ部材をさらに有し、
前記テープ部材は、前記吸収性物品の外縁よりも外側に延出可能に構成されている、吸収性物品。
【請求項２】
前記幅方向に沿って延びた少なくとも２つの折り線を有し、
前記テープ部材は、前記折り線のうちの最も前側の折り線よりも前側、又は最も後側の折り線よりも後側に設けられている、請求項１に記載の吸収性物品。
【請求項３】
前記テープ部材は、前記前後方向における前記吸収性物品の縁から、前記前後方向における前記吸収性物品の長さの１／３の長さの範囲内に設けられている、請求項１又は２に記載の吸収性物品。
【請求項４】
前記テープ部材は、前記前後方向における前記吸収性物品の縁から、前記前後方向における前記吸収性物品の長さの１５％の長さの範囲内に設けられている、請求項３に記載の吸収性物品。
【請求項５】
前記テープ部材は、前記吸収性物品の前側縁よりも前側、又は前記吸収性物品の後側縁よりも後側に延出可能に構成されている、請求項１から４のいずれか１項に記載の吸収性物品。
【請求項６】
前記粘着部は、前記テープ部材を前記前後方向に延長した仮想線上に設けられている、請求項５に記載の吸収性物品。
【請求項７】
前記粘着部は、前記幅方向に間隔をあけて複数設けられており、
前記幅方向における前記テープ部材の幅は、前記幅方向における前記粘着部どうしの間隔より大きい、請求項５又は６に記載の吸収性物品。
【請求項８】
着用者の排泄口と対向する領域よりも後方で前記幅方向の外側へ膨らんだヒップフラップを有し、
前記テープ部材は前記ヒップフラップに設けられており、
前記テープ部材は、前記幅方向における前記ヒップフラップの外側縁よりも外側に延出可能に構成されている、請求項１から４のいずれか１項に記載の吸収性物品。
【請求項９】
前記粘着部は、前記前後方向に間隔をあけて設けられており、
前記前後方向における前記テープ部材の幅は、前記前後方向における前記粘着部どうしの間隔より大きい、請求項８に記載の吸収性物品。
【請求項１０】
前記粘着部の少なくとも一部は、前記テープ部材よりも前側に設けられている、請求項８又は９に記載の吸収性物品。
【請求項１１】
前記粘着部の少なくとも一部は、前記前後方向における前記吸収性物品の両縁のうち前記テープ部材に近い方の縁から、前記前後方向における前記吸収性物品の長さの２／３の長さの範囲に設けられている、請求項１から１０のいずれか１項に記載の吸収性物品。
【請求項１２】
前記粘着部の少なくとも一部は、前記前後方向における前記吸収性物品の両縁のうち前記テープ部材に近い方の縁から、前記前後方向における前記吸収性物品の長さの４／５の長さの範囲に設けられている、請求項１１に記載の吸収性物品。
【請求項１３】
前記テープ部材は前記吸収性物品の非肌面に固定された固定部を有しており、
延出方向における前記テープ部材の先端部は、前記固定部とは反対側に向けられている、請求項１から１２のいずれか１項に記載の吸収性物品。
【請求項１４】
前記テープ部材の前記裏面シートに接する面と、前記裏面シートの前記テープ部材に接する面と、の少なくとも一方が、静電気防止処理されている、請求項１から１３のいずれか１項に記載の吸収性物品。
【請求項１５】
前記裏面シートよりも肌面側に設けられた吸収体を有し、
前記テープ部材は前記吸収性物品の非肌面に固定された固定部を有しており、
前記固定部の少なくとも一部は、前記吸収体と厚み方向に重なっている、請求項１から１４のいずれか１項に記載の吸収性物品。
【請求項１６】
前記裏面シートよりも肌面側に設けられた吸収体を有し、
前記テープ部材は、前記吸収体に形成されたエンボス又は前記吸収体に設けられた低目付領域と厚み方向に重なっている、請求項１から１５のいずれか１項に記載の吸収性物品。
【請求項１７】
前記テープ部材は前記吸収性物品の非肌面に固定された固定部を有しており、
前記テープ部材の少なくとも前記固定部を除く領域は、前記粘着部と重ならない位置に設けられている、請求項１から１６のいずれか１項に記載の吸収性物品。
【発明の詳細な説明】
【技術分野】
【０００１】
本発明は、生理用ナプキン、パンティライナー、母乳パッド、大人用失禁パッド、糞便パッド又は汗取りシートのように、裏面シート側に着衣に固定する粘着部を有する吸収性物品に関する。
【背景技術】
【０００２】
生理用ナプキンやパンティライナーのような吸収性物品は、使用時に、着用者に着用される着用物品の内側に取り付けられる。一般に、着用物品の内側に取り付けられる吸収性物品は、着用物品に対する吸収性物品のずれを防止するための粘着部を有する。この粘着部は、吸収性物品の肌面側（着用者の肌に面する側）とは反対側の面に設けられる。このような吸収性物品では、使用後に着用物品から外した着用物品を長手方向に巻くと、粘着部が吸収性物品の肌面に当たる。しかし、使用後の吸収性物品の肌面（表面シート）には体液が付着しているため、体液が粘着部と表面シートとの接合を阻害し、吸収性物品をコンパクトに巻くことができない場合があった。【０００３】
特許文献１は、後処理テープ部分を備えた生理用ナプキンを開示している。この生理用ナプキンは、使用時に着用者の肌に面するナプキン吸収面と、使用時に下着に面するナプキンガード面と、を有する。生理用ナプキンを下着に接着するための接着テープが、ナプキンガード面に設けられている。また、後処理テープ部分は、ナプキンの長手方向においてナプキン吸収面から外側に突出した部分に設けられている。さらに、後処理テープ部分は、ナプキン吸収面と同じ方向、すなわち着用者の肌の方向に向けられている。
【先行技術文献】
【特許文献】
【０００４】
【特許文献１】実開平０４−３５４２２号公報
【発明の概要】
【０００５】
特許文献１に記載の生理用ナプキンでは、後処理テープ部分がナプキン吸収面と同じ方向に向けられている。この後処理テープ部分は、生理用ナプキンの使用中に着用者の肌に接触してしまう。したがって、着用者に違和感や不快感を与えてしまう。
【０００６】
したがって、非肌面側に粘着部を有する吸収性物品に関し、使用後に丸めた状態で維持することができ、かつ使用中の違和感や不快感を低減することができる吸収性物品が望まれる。
【０００７】
一態様に係る吸収性物品は、前後方向と、前記前後方向に直交する幅方向と、着用者の肌とは反対側に向けられる裏面シートと、前記裏面シートの非肌面側に設けられた粘着部と、を有する吸収性物品であって、前記裏面シートの非肌面側に、前記吸収性物品の外縁よりも内側に配置されたテープ部材をさらに有し、前記テープ部材は、前記吸収性物品の外縁よりも外側に延出可能に構成されている。
【図面の簡単な説明】
【０００８】
【図１】図１は、肌面側から見た第１実施形態に係る吸収性物品の平面図である。
【図２】図２は、非肌面側から見た第１実施形態に係る吸収性物品の平面図である。
【図３】図３は、前後方向に巻かれた状態の第１実施形態に係る吸収性物品の斜視図である。
【図４】図４は、非肌面側から見た第２実施形態に係る吸収性物品の平面図である。
【図５】図５は、非肌面側から見た第３実施形態に係る吸収性物品の平面図である。
【図６】図６は、前後方向に巻かれた状態の第３実施形態に係る吸収性物品の斜視図である。
【図７】図７は、テープ部材で止められた状態の第３実施形態に係る吸収性物品の図である。
【発明を実施するための形態】
【０００９】
本明細書及び添付図面の記載により、少なくとも以下の事項が明らかとなる。
【００１０】
一態様に係る吸収性物品は、前後方向と、前記前後方向に直交する幅方向と、着用者の肌とは反対側に向けられる裏面シートと、前記裏面シートの非肌面側に設けられた粘着部と、を有する吸収性物品であって、前記裏面シートの非肌面側に、前記吸収性物品の外縁よりも内側に配置されたテープ部材をさらに有し、前記テープ部材は、前記吸収性物品の外縁よりも外側に延出可能に構成されている。
【００１１】
本態様では、使用者は、使用後に吸収性物品を前後方向に巻いた後、テープ部材を吸収性物品の外縁よりも外側に延出させることができる。使用中においては、テープ部材は、裏面シートの非肌面側で吸収性物品の外縁よりも内側に配置されているため、テープ部材に経血のような体液が付着しない。使用者は、吸収性物品の使用後に、外側に延出させたテープ部材を、裏面シートの別の部分に設けられた粘着部に取り付けることによって、吸収性物品を丸めた状態に維持することができる。ここで、テープ部材に経血のような体液が付着しないため、テープ部材と粘着部との接合力の低下を防止することができ、これにより吸収性物品を小さく丸めた状態に維持し易くすることができる。
【００１２】
なお、吸収性物品は、経血等の体液が付着した面を内側にして巻かれるので、巻かれた吸収性物品の表面には、体液は付着していない。これにより、使用者は、使用後の吸収性物品を清潔に処理することができる。
【００１３】
また、使用者は、使用後の吸収性物品を小さく丸めた状態で一端近くの小スペース上に置いておくことができる。したがって、使用者は、新しい吸収性物品を下着のような着用物品に取り付け、下着や服を着用した後に、使用後の吸収性物品をゴミ箱等に廃棄することができる。また、吸収性物品を廃棄するゴミ箱が近くにない状況下において、使用者は、小さく丸めた吸収性物品をかばんにしまって持ち帰ることもできる。
【００１４】
さらに、吸収性物品の使用中においては、テープ部材は、裏面シートの非肌面側に設けられ、吸収性物品の外縁より外側へ延びていないため、テープ部材は、着用者の肌に直接当たらない。したがって、使用中の違和感や不快感を低減することができる。
【００１５】
好ましい一態様によれば、吸収性物品は、前記幅方向に沿って延びた少なくとも２つの折り線を有し、前記テープ部材は、前記折り線のうちの最も前側の折り線よりも前側、又は最も後側の折り線よりも後側に設けられている。
【００１６】
使用者によっては、使用後の吸収性物品を巻く際に、幅方向に沿った折り線に従って吸収性物品を巻き始めることがある。この場合、少なくとも２つの折り線のうちの最も前側の折り線よりも前側、又は最も後側の折り線よりも後側の領域は、巻かれた吸収性物品の表面に露出し、かつ巻き取り方向の終端側に位置し得る。この巻き取り方向の終端側で露出する場所にテープ部材が配置されるため、使用者は、容易にテープ部材を認識することができ、かつ容易に吸収性物品を丸めた状態でテープ部材を粘着部に止めることができる。
【００１７】
好ましい一態様によれば、前記テープ部材は、前記前後方向における前記吸収性物品の縁から、前記前後方向における前記吸収性物品の長さの１／３の長さの範囲内に設けられている。
【００１８】
吸収性物品の肌面に付着した体液を隠すということを考慮しつつ、使用後の吸収性物品を緩く巻く場合、使用者は、吸収性物品の略１／３の領域が内側に配置されるように吸収性物品を巻くことがある（３つ折り又は４つ折りのような状態）。この場合、前後方向における吸収性物品の縁から、前後方向における吸収性物品の長さの１／３の長さの範囲が、丸められた吸収性物品の表面に露出した領域のうち、巻き取り方向の終端側の領域となる。この巻き取り方向の終端側で露出する場所にテープ部材が配置されるため、使用者は、容易にテープ部材を認識することができ、かつ容易に吸収性物品を丸めた状態でテープ部材を止めることができる。
【００１９】
好ましい一態様によれば、前記テープ部材は、前記前後方向における前記吸収性物品の縁から、前記前後方向における前記吸収性物品の長さの１５％の長さの範囲内に設けられている。
【００２０】
吸収性物品の肌面に付着した体液を隠すということを考慮しつつ、使用後の吸収性物品をきつく巻く場合、前後方向における吸収性物品の縁から、前後方向における吸収性物品の長さの１０％〜１５％程度の長さの範囲が、丸められた吸収性物品の表面に露出した領域のうち、かつ巻き取り方向の終端側の領域となる。この巻き取り方向の終端側で露出する場所にテープ部材が配置されるため、使用者は、容易にテープ部材を認識することができ、かつ容易に吸収性物品を丸めた状態でテープ部材を止めることができる。
【００２１】
好ましい一態様によれば、前記テープ部材は、前記吸収性物品の前側縁よりも前側、又は前記吸収性物品の後側縁よりも後側に延出可能に構成されている。
【００２２】
使用者は、通常、使用後の吸収性物品を前側又は後側から前後方向に巻き始める。テープ部材が吸収性物品の前側縁よりも前側、又は吸収性物品の後側縁よりも後側に延出可能に構成されていることにより、使用者は、巻き取り方向に沿ってテープ部材を延出させて、テープ部材を取り付けることができる。
【００２３】
なお、約８割の使用者は、使用後の吸収性物品を前側から巻き始める。よって、テープ部材は、吸収性物品の後側縁よりも後側に延出可能に構成されていることがより好ましい。
【００２４】
好ましい一態様によれば、前記粘着部は、前記テープ部材を前記前後方向に延長した仮想線上に設けられている。
【００２５】
これにより、テープ部材を吸収性物品の前側縁よりも前側、又は吸収性物品の後側縁よりも後側に延出させ、巻かれた吸収性物品に真っ直ぐテープ部材を沿わせると、テープ部材に粘着部が付着する。したがって、使用者は、テープ部材を粘着部の位置へ向けて斜めに引っ張ることなく容易に吸収性物品を丸めた状態に維持することができる。
【００２６】
好ましい一態様によれば、前記粘着部は、前記幅方向に間隔をあけて複数設けられており、前記幅方向における前記テープ部材の幅は、前記幅方向における前記粘着部どうしの間隔より大きい。
【００２７】
これにより、使用者がテープ部材を引き出した先に粘着部が存在しないということを防ぐことができる。したがって、使用者は、テープ部材を粘着部へ容易に取り付けることができる。
【００２８】
好ましい一態様によれば、吸収性物品は、着用者の排泄口と対向する領域よりも後方で前記幅方向の外側へ膨らんだヒップフラップを有し、前記テープ部材は前記ヒップフラップに設けられており、前記テープ部材は、前記幅方向における前記ヒップフラップの外側縁よりも外側に延出可能に構成されている。
【００２９】
ヒップフラップは、吸収性物品の後方に位置する。ここで、約８割の使用者は、使用後の吸収性物品を前側から巻き始める。よって、テープ部材は、丸められた吸収性物品の表面に露出することになる。使用者は、ヒップフラップから幅方向の外側へテープ部材を延出させ、裏面シートの別の位置に設けられた粘着部にテープ部材を付着させることによって、吸収性物品を丸めた状態に維持することができる。
【００３０】
また、ヒップフラップは幅方向に膨らんだ部分であるため、テープ部材を粘着部に付着させる際に、ヒップフラップが巻かれた吸収性物品の側面を覆うことになる。これにより、巻かれた吸収性物品の側面からの体液の漏れを防止することができる。また、ヒップフラップが巻かれた吸収性物品の側面を覆うため、吸収性物品の肌面側に付着した体液を覆い隠すことができ、清潔感を向上させることができる。
【００３１】
好ましい一態様によれば、前記粘着部は、前記前後方向に間隔をあけて設けられており、前記前後方向における前記テープ部材の幅は、前記前後方向における前記粘着部どうしの間隔より大きい。
【００３２】
これにより、使用者がテープ部材を引き出した先に粘着部が存在しないということを防ぐことができる。したがって、使用者は、テープ部材を粘着部へ容易に取り付けることができる。
【００３３】
好ましい一態様によれば、前記粘着部の少なくとも一部は、前記テープ部材よりも前側に設けられている。
【００３４】
テープ部材よりも前側に粘着部が存在するため、使用者は、ヒップフラップから幅方向の外側へ延出させたテープ部材を、裏面シートの別の位置に存在する粘着部に取り付けたときに、吸収性物品を丸めた状態で維持することができる。
【００３５】
好ましい一態様によれば、前記粘着部の少なくとも一部は、前記前後方向における前記吸収性物品の両縁のうち前記テープ部材に近い方の縁から、前記前後方向における前記吸収性物品の長さの２／３の長さの範囲に設けられている。
【００３６】
使用後の吸収性物品を緩く巻く場合、使用者は、吸収性物品の略１／３の領域が内側に配置されるように吸収性物品を巻くことがある（３つ折り又は４つ折りのような状態のような状態）。この場合、前後方向における吸収性物品の縁から、前後方向における吸収性物品の長さの２／３の長さの範囲が、丸められた吸収性物品の表面に露出する。この露出する領域に粘着部が配置されるため、使用者は、容易にテープ部材を粘着部に付着させることができる。
【００３７】
好ましい一態様によれば、前記粘着部の少なくとも一部は、前記前後方向における前記吸収性物品の両縁のうち前記テープ部材に近い方の縁から、前記前後方向における前記吸収性物品の長さの４／５の長さの範囲に設けられている。
【００３８】
使用後の吸収性物品をきつく巻く場合、前後方向における吸収性物品の縁から、前後方向における吸収性物品の長さの２０％〜３０％程度の長さの範囲が、丸められた吸収性物品の表面に露出する。この露出する領域に粘着部が配置されるため、使用者は、容易にテープ部材を粘着部に付着させることができる。
【００３９】
好ましい一態様によれば、前記テープ部材は前記吸収性物品の非肌面に固定された固定部を有しており、延出方向における前記テープ部材の先端部は、前記固定部とは反対側に向けられている。
【００４０】
テープ部材を吸収性物品の外縁よりも外側に延出させる際に、テープ部材の固定部には延出方向にのみ力が働くことになる。これにより、固定部にかかる力をなるべく小さくすることができるため、テープ部材の固定強度を維持することができる。
【００４１】
好ましい一態様によれば、前記テープ部材の前記裏面シートに接する面と、前記裏面シートの前記テープ部材に接する面と、の少なくとも一方が、静電気防止処理されている。
【００４２】
これにより、テープ部材が裏面シートに静電気によって張り付くことを抑制することができる。したがって、吸収性物品を巻いたときにテープ部材がより裏面シートから浮き上がり易くなり、使用者は、テープ部材をより容易につまんで操作できるようになる。
【００４３】
好ましい一態様によれば、吸収性物品は、前記裏面シートよりも肌面側に設けられた吸収体を有し、前記テープ部材は前記吸収性物品の非肌面に固定された固定部を有しており、前記固定部の少なくとも一部は、前記吸収体と厚み方向に重なっている。
【００４４】
吸収体が存在する領域は、吸収性物品の中で特に剛性が高い領域になる。テープ部材の固定部が吸収体と厚み方向に重なっているため、吸収性物品を巻いたときに、剛性の高い領域に位置するテープ部材の固定部は、吸収性物品とともにしっかりと湾曲する。このように、テープ部材の固定部がしっかりと湾曲することで、テープ部材の自由端がより裏面シートから浮き上がり易くなる。よって、使用者は、テープ部材をより容易につまんで操作できるようになる。
【００４５】
好ましい一態様によれば、吸収性物品は、前記裏面シートよりも肌面側に設けられた吸収体を有し、前記テープ部材は、前記吸収体に形成されたエンボス又は前記吸収体に設けられた低目付領域と厚み方向に重なっている。
【００４６】
テープ部材が、吸収体に形成されたエンボス又は吸収体に設けられた低目付領域と厚み方向に重なっていると、テープ部材と裏面シート（吸収体）との間に隙間ができ易い。したがって、吸収性物品を巻いたときにテープ部材がより裏面シートから浮き上がり易くなり、使用者は、テープ部材をより容易につまんで操作できるようになる。
【００４７】
好ましい一態様によれば、吸収性物品は、前記テープ部材は前記吸収性物品の非肌面に固定された固定部を有しており、前記テープ部材の少なくとも前記固定部を除く領域は、前記粘着部と重ならない位置に設けられている。
【００４８】
これにより、吸収性物品を巻いたときにテープ部材が裏面シートから浮き上がり易くなる。したがって、使用者は、テープ部材の非固定部をより容易につまんで操作できるようになる。
【００４９】
以下、図面を参照して、実施形態に係る吸収性物品ついて説明する。吸収性物品は、生理用ナプキン、パンティライナー、母乳パッド、大人用失禁パッド、糞便パッド又は汗取りシートのような吸収性物品であってよい。特に、吸収性物品は、使用者の下着のような着用物品の内側に取り付けられて使用される物品であってよい。
【００５０】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれる場合がある。
【００５１】
（１）第１実施形態
図１は、肌面側から見た第１実施形態に係る吸収性物品の平面図である。図２は、非肌面側から見た第１実施形態に係る吸収性物品の平面図である。ここで、「肌面側」は、使用中に着用者の肌に面する側に相当する。「非肌面側」は、使用中に着用者の肌とは反対に向けられる側に相当する。
【００５２】
吸収性物品は、前後方向Ｌ及び幅方向Ｗを有する。前後方向Ｌは、着用者の前側（腹側）から後側（背側）に延びる方向、又は着用者の後側から前側に延びる方向である。幅方向Ｗは、前後方向Ｌと直交する方向である。
【００５３】
吸収性物品１０は、表面シート２０と、裏面シート２２と、表面シート２０と裏面シート２２との間の吸収体３０と、を有する。表面シート２０は、使用中に着用者の肌の方に向く。裏面シート２２は、使用中に、着用者の肌とは反対側に向けられる。吸収体３０は、吸収性物品の前後方向Ｌに沿って延びている。
【００５４】
吸収性物品１０は、ウイング４０及びヒップフラップ５０を有していてもよい。ウイング４０は、使用時に着用物品のクロッチ部の非肌面側に折り返される。ヒップフラップ５０は、ウイング４０よりも後方で、幅方向Ｗに膨らんだ部分である。ヒップフラップ５０は、幅方向Ｗにおける吸収体３０の外縁よりも外側に膨らんだ部分である。
【００５５】
吸収性物品１０は、使用中に着用者の排泄口（例えば膣口）に対向する排泄口対向域Ｓ１を有する。排泄口対向域Ｓ１は、着用者の股下、すなわち着用者の両足の間に配置される領域であって、吸収体３０が存在する領域に相当する。なお、ウイング４０を有する吸収性物品１０では、排泄口対向域Ｓ１は、ウイング４０どうしの間であって、吸収体３０が存在する領域に相当する。
【００５６】
図２に示すように、吸収性物品１０は、裏面シート２２の非肌面側に設けられた粘着部４２，５２，７０を有する。粘着部４２，５２，７０は、吸収性物品１０を着用物品に止めるための粘着剤が設けられた領域である。粘着部は、本体粘着部７０と、ウイング粘着部４２と、フラップ粘着部５２と、を含む。
【００５７】
本体粘着部７０は、吸収性物品の厚み方向において、吸収体３０と重なる領域に設けられている。本体粘着部７０は、少なくとも排泄口対向域Ｓ１から吸収性物品１０の後方へ連続的又は断続的に延びていることが好ましい。本体粘着部７０は、前後方向Ｌに延びており、幅方向Ｗに間隔をあけて複数設けられていてよい。
【００５８】
ウイング粘着部４２はウイング４０に設けられている。ウイング４０は、使用中に着用者の着用物品に折り返され、ウイング粘着部４２によって着用物品の非肌面側に取り付けられる。フラップ粘着部５２はヒップフラップ５０に設けられている。
【００５９】
吸収性物品１０は、幅方向Ｗに沿って延びた少なくとも２つの折り線を有していてもよい。図１，２に示す例では、吸収性物品１０は、３つの折り線Ｆ１〜Ｆ３を有している。これらの折り線Ｆ１〜Ｆ３は、吸収性物品の包装時に、吸収性物品を折り畳むためのラインである。
【００６０】
吸収性物品１０は、裏面シート２２の非肌面側に、吸収性物品１０の外縁よりも内側に配置されたテープ部材６０をさらに有する。したがって、テープ部材６０は、肌面側から見ると、吸収性物品１０に隠れた状態となる。
【００６１】
テープ部材６０は、吸収性物品１０の外縁よりも外側に延出可能に構成されている。一例として、テープ部材６０は、伸縮性シートから構成されていてよい。この場合、着用者がテープ部材６０を引っ張ることによって、テープ部材６０が吸収性物品１０の外縁よりも外側に延出する。
【００６２】
別の例として、テープ部材６０は、Ｚ型に折り畳まれたシートから構成されていてもよい。この場合、着用者がテープ部材６０の先端を引っ張ることによって、折り畳まれたテープ部材６０が展開され、これによりテープ部材６０が吸収性物品１０の外縁よりも外側に延出する。
【００６３】
テープ部材６０は、後処理用のテープであり、吸収性物品１０を丸めた状態で本体粘着部７０に取り付けられる程度に延出可能であればよい。また、テープ部材６０は、本体粘着部７０に取り付け可能な材料であれば、どのような材料から構成されていてもよい。好ましくは、テープ部材６０は、表面シート２０よりも本体粘着部７０に粘着し易い材料からなる。なお、テープ部材６０は、粘着剤を有していなくてもよい。
【００６４】
テープ部材６０は吸収性物品１０の非肌面に固定された固定部６２を有しており、延出方向におけるテープ部材６０の先端部は、固定部６２とは反対側に向けられている。この場合、テープ部材６０を吸収性物品１０の外縁よりも外側に延出させる際に、テープ部材６０の固定部６２には延出方向にのみ力が働くことになる。これにより、固定部６２にかかる力をなるべく小さくすることができるため、テープ部材６０の固定強度を維持することができる。
【００６５】
使用者は、吸収性物品１０の使用後に吸収性物品１０を前後方向Ｌに巻いた後、テープ部材６０を吸収性物品１０の外縁よりも外側に延出させることができる（図３参照）。使用中においては、テープ部材６０は、裏面シート２２の非肌面側で吸収性物品１０の外縁よりも内側に配置されているため、テープ部材６０に経血のような体液が付着しない。使用者は、吸収性物品１０の使用後に、外側に延出させたテープ部材６０を、裏面シート２２の別の部分に設けられた粘着部７０に取り付けることによって、吸収性物品１０を丸めた状態に維持することができる。ここで、テープ部材６０に経血のような体液が付着しないため、テープ部材６０と粘着部７０との接合力の低下を防止することができ、これにより吸収性物品１０を小さく丸めた状態に維持し易くすることができる。
【００６６】
なお、吸収性物品１０は、経血等の体液が付着した面を内側にして巻かれるので、巻かれた吸収性物品１０の表面には、体液は付着していない。これにより、使用者は、使用後の吸収性物品１０を清潔に処理することができる。
【００６７】
また、使用者は、使用後の吸収性物品１０を小さく丸めた状態で一端近くの小スペース上に置いておくことができる。したがって、使用者は、新しい吸収性物品１０を下着のような着用物品に取り付け、下着や服を着用した後に、使用後の吸収性物品１０をゴミ箱等に廃棄することができる。また、吸収性物品１０を廃棄するゴミ箱が近くにない状況下において、使用者は、小さく丸めた吸収性物品１０をかばんにしまって持ち帰ることもできる。
【００６８】
さらに、吸収性物品１０の使用中においては、テープ部材６０は、裏面シート２２の非肌面側に設けられ、吸収性物品１０の外縁より外側へ延びていないため、テープ部材６０は、着用者の肌に直接当たらない。したがって、使用中の違和感や不快感を低減することができる。
【００６９】
テープ部材６０は、吸収性物品１０の後側縁よりも後側に延出可能に構成されていることが好ましい。約８割の使用者は、使用後の吸収性物品１０を前側から巻き始める。テープ部材６０が吸収性物品１０の後側縁よりも後側に延出可能に構成されていることにより、多くの使用者は、巻き取り方向に沿ってテープ部材６０を延出させて、テープ部材６０を本体粘着部７０へ取り付けることができる。
【００７０】
テープ部材６０は、折り線Ｆ１〜Ｆ３のうちの最も後側の折り線Ｆ３よりも後側に設けられていることが好ましい。使用者によっては、使用後の吸収性物品１０を巻く際に、幅方向Ｗに沿った折り線Ｆ１〜Ｆ３に従って吸収性物品１０を巻き始めることがある。この場合、少なくとも３つの折り線のうちの最も後側の折り線Ｆ３よりも後側の領域は、巻かれた吸収性物品１０の表面に露出し、かつ巻き取り方向の終端側に位置する。この巻き取り方向の終端側で露出する場所にテープ部材６０が配置されるため、使用者は、容易にテープ部材６０を認識することができ、かつ容易に吸収性物品を丸めた状態でテープ部材６０を本体粘着部７０に止めることができる。
【００７１】
テープ部材６０は、前後方向Ｌにおける吸収性物品の後側縁Ｅ２から、前後方向Ｌにおける吸収性物品の長さの１／３の長さの範囲内に設けられていることが好ましい。使用者は、吸収性物品の表面シート２０に付着した体液に触れたくないという観点から、使用後の吸収性物品１０を緩く巻くことがある。吸収性物品１０の肌面に付着した体液を隠すということを考慮しつつ、使用後の吸収性物品１０を緩く巻く場合、使用者は、吸収性物品１０の約１／３の領域が内側に配置されるように吸収性物品を巻くことがある（３つ折りのような状態）。この場合、吸収性物品１０の後側縁Ｅ２から、前後方向Ｌにおける吸収性物品１０の長さの１／３の長さの範囲が、丸められた吸収性物品１０の表面に露出した領域のうち、巻き取り方向の終端側の領域となる。この巻き取り方向の終端側で露出する場所にテープ部材６０が配置されるため、使用者は、容易にテープ部材６０を認識することができ、かつ容易に吸収性物品１０を丸めた状態でテープ部材６０を本体粘着部７０に止めることができる。
【００７２】
テープ部材６０は、前後方向Ｌにおける吸収性物品１０の後側縁から、前後方向における吸収性物品の長さの好ましくは１５％、より好ましくは１０％の長さの範囲内に設けられている。吸収性物品１０の肌面に付着した体液を隠すということを考慮しつつ、使用後の吸収性物品１０をきつく巻く場合、前後方向Ｌにおける吸収性物品１０の後側縁Ｅ２から、前後方向Ｌにおける吸収性物品１０の長さの１０％〜１５％程度の長さの範囲が、丸められた吸収性物品１０の表面に露出した領域のうち、かつ巻き取り方向の終端側の領域となる。この巻き取り方向の終端側で露出する場所にテープ部材６０が配置されるため、使用者は、容易にテープ部材６０を認識することができ、かつ容易に吸収性物品１０を丸めた状態でテープ部材６０を本体粘着部７０に止めることができる。
【００７３】
本体粘着部７０は、テープ部材６０を前後方向Ｌに延長した仮想線上に設けられていることが好ましい。これにより、テープ部材６０を吸収性物品の後側縁Ｅ２よりも後側に延出させ、巻かれた吸収性物品１０に真っ直ぐテープ部材６０を沿わせると、テープ部材６０に本体粘着部７０が付着する。したがって、使用者は、テープ部材６０を本体粘着部７０の位置へ向けて斜めに引っ張ることなく容易に吸収性物品１０を丸めた状態に維持することができる。
【００７４】
本体粘着部７０は、幅方向Ｗに間隔をあけて複数設けられていてよい。この場合、幅方向Ｗにおけるテープ部材６０の幅Ｗ１は、幅方向Ｗにおける本体粘着部７０どうしの間隔Ｗ２より大きいことが好ましい。これにより、使用者がテープ部材６０を引き出した先に本体粘着部７０が存在しないということを防ぐことができる。したがって、使用者は、テープ部材６０を粘着部７０へ容易に取り付けることができる。
【００７５】
なお、本体粘着部７０が幅方向Ｗに３つ以上設けられている場合、幅方向Ｗにおけるテープ部材６０の幅Ｗ１は、本体粘着部７０どうしの間の複数の間隔のうち、テープ部材６０を延長した仮想線上に位置する間隔、又は仮想線に最も近い間隔の大きさよりも大きければよい。この代わりに、幅方向Ｗにおけるテープ部材６０の幅Ｗ１が、本体粘着部７０どうしの間隔のうちの最大の間隔より大きくてもよい。
【００７６】
本体粘着部７０の少なくとも一部は、前後方向Ｌにおける吸収性物品１０の両縁のうちテープ部材６０に近い方の縁、本実施形態では後側縁Ｅ２から、前後方向Ｌにおける吸収性物品１０の長さの２／３の長さの範囲に設けられていることが好ましい。使用後の吸収性物品１０を緩く巻く場合、使用者は、吸収性物品１０の略１／３の領域が内側に配置されるように吸収性物品を巻くことがある（３つ折り又は４つ折りのような状態のような状態）。この場合、前後方向Ｌにおける吸収性物品１０の後側縁から、前後方向Ｌにおける吸収性物品の長さの２／３の長さの範囲が、丸められた吸収性物品１０の表面に露出する。この露出する領域に本体粘着部７０が配置されるため、使用者は、容易にテープ部材６０を本体粘着部７０に付着させることができる。
【００７７】
本体粘着部７０の少なくとも一部は、前後方向Ｌにおける吸収性物品１０の両縁のうちテープ部材６０に近い方の縁、本実施形態では後側縁Ｅ２から、前後方向Ｌにおける吸収性物品１０の長さの４／５の長さの範囲に設けられていることがより好ましい。使用後の吸収性物品をきつく巻く場合、前後方向Ｌにおける吸収性物品１０の縁、本実施形態では後側縁Ｅ２から、前後方向Ｌにおける吸収性物品の長さの２０％〜３０％程度の長さの範囲が、丸められた吸収性物品１０の表面に露出する。この露出する領域に本体粘着部７０が配置されるため、使用者は、容易にテープ部材６０を本体粘着部７０に付着させることができる。
【００７８】
裏面シート２２とテープ部材６０の両方が、フィルム、例えば合成樹脂フィルムから構成されていてよい。また、テープ部材６０の裏面シート２２に接する面と、裏面シート２２のテープ部材６０に接する面と、の少なくとも一方が、静電気防止処理されていることが好ましい。静電気防止処理は、例えばコロナ処理やエンボス加工のような表面処理であってよい。静電気によって、テープ部材６０が裏面シート２２に張り付くことがある。静電気防止処理によって、テープ部材６０が裏面シート２２に張り付くことを抑制することができる。したがって、吸収性物品１０を巻いたときにテープ部材６０がより裏面シート２２から浮き上がり易くなり、使用者は、テープ部材６０をより容易につまんで操作できるようになる。
【００７９】
テープ部材６０の固定部６２の少なくとも一部は、吸収体３０と厚み方向に重なっていることが好ましい。吸収体３０が存在する領域は、吸収性物品１０の中で特に剛性が高い領域になる。テープ部材６０の固定部６２が吸収体３０と厚み方向に重なっているため、吸収性物品１０を巻いたときに、剛性の高い領域に位置するテープ部材６０の固定部６２は、吸収性物品１０とともにしっかりと湾曲する。このように、テープ部材６０の固定部６２がしっかりと湾曲することで、テープ部材６０の自由端がより裏面シート２２から浮き上がり易くなる。よって、使用者は、テープ部材６０をより容易につまんで操作できるようになる。
【００８０】
テープ部材６０の少なくとも固定部６２を除く領域は、粘着部４２，５２，７０と重ならない位置に設けられていることが好ましい。これにより、吸収性物品１０を巻いたときにテープ部材６０が裏面シート２２から浮き上がり易くなる。したがって、使用者は、テープ部材６０をより容易につまんで操作できるようになる。
【００８１】
吸収体３０には、所定パターンのエンボス（圧縮部）が形成されていてもよい。また、吸収体３０は、周囲の吸収体３０の目付よりも低い目付を有する低目付領域を有していてもよい。この場合、テープ部材６０は、吸収体３０に形成されたエンボス又は吸収体３０に設けられた低目付領域と厚み方向に重なっていることが好ましい。テープ部材６０が、吸収体３０に形成されたエンボス又は吸収体３０に設けられた低目付領域と厚み方向に重なっていると、テープ部材６０と裏面シート２２（吸収体３０）との間に隙間ができ易い。したがって、吸収性物品１０を巻いたときにテープ部材６０がより裏面シート２２から浮き上がり易くなり、使用者は、テープ部材６０をより容易につまんで操作できるようになる。
【００８２】
（２）第２実施形態
次に、第２実施形態に係る吸収性物品について図４を参照して説明する。図４は、非肌面側から見た第２実施形態に係る吸収性物品の平面図である。
【００８３】
なお、第１実施形態と同様の構成については、同様の符号が付されており、その説明を省略することがある。以下では、第１実施形態と異なる構成について詳細に説明する。第２実施形態では、テープ部材６０の位置が第１実施形態と異なっている。第２実施形態では、テープ部材６０は、吸収性物品１０の前方に設けられている。テープ部材６０は、吸収性物品の前側縁Ｅ１よりも前側に延出可能に構成されている。
【００８４】
テープ部材６０は、折り線Ｆ１〜Ｆ３のうちの最も前側の折り線よりも前側に設けられていることが好ましい。使用者の約３０％は、使用後の吸収性物品１０を巻く際に、吸収性物品１０の前側から巻き始める。また、使用者によっては、使用後の吸収性物品１０を巻く際に、幅方向Ｗに沿った折り線Ｆ１〜Ｆ３に従って吸収性物品１０を巻き始めることがある。この場合、最も前側の折り線Ｆ１よりも前側の領域は、巻かれた吸収性物品１０の表面に露出し、かつ巻き取り方向の終端側に位置し得る。この巻き取り方向の終端側で露出する場所にテープ部材６０が配置されるため、使用者は、容易にテープ部材６０を認識することができ、かつ容易に吸収性物品１０を丸めた状態でテープ部材６０を本体粘着部７０に止めることができる。
【００８５】
上記のように、吸収性物品１０を前側から巻くことを考慮すると、テープ部材６０の位置、及びテープ部材６０の位置と本体粘着部７０との位置関係は、第１実施形態で説明した状態を前後に逆転した構成をとることが好ましい。
【００８６】
すなわち、テープ部材６０は、前後方向Ｌにおける吸収性物品１０の前側縁から、前後方向Ｌにおける吸収性物品の長さの１／３の長さの範囲内に設けられていることが好ましい。また、テープ部材６０は、前後方向Ｌにおける吸収性物品の前側縁Ｅ１から、前後方向Ｌにおける吸収性物品１０の長さの１５％の長さの範囲内に設けられていることがより好ましく、吸収性物品１０の長さの１０％の長さの範囲内に設けられていることが一層好ましい。
【００８７】
本体粘着部７０の少なくとも一部は、前後方向Ｌにおける吸収性物品の前側縁Ｅ１から、前後方向Ｌにおける吸収性物品１０の長さの２／３の長さの範囲に設けられていることが好ましい。また、本体粘着部７０の少なくとも一部は、吸収性物品１０の前側縁Ｅ１から、前後方向Ｌにおける吸収性物品１０の長さの４／５の長さの範囲に設けられていることがより好ましい。
【００８８】
（３）第３実施形態
次に、第３実施形態に係る吸収性物品について図５〜図７を参照して説明する。図５は、非肌面側から見た第３実施形態に係る吸収性物品の平面図である。図６は、前後方向に巻かれた状態の第３実施形態に係る吸収性物品の斜視図である。図７は、テープ部材で止められた状態の第３実施形態に係る吸収性物品の図である。
【００８９】
なお、第１実施形態と同様の構成については、同様の符号が付されており、その説明を省略することがある。以下では、第１実施形態と異なる構成について詳細に説明する。
【００９０】
第３実施形態では、テープ部材６０の位置が第１実施形態と異なっている。第３実施形態では、テープ部材６０は、ヒップフラップ５０に設けられている。テープ部材６０は、幅方向Ｗにおけるヒップフラップ５０の外側縁よりも外側に延出可能に構成されている。
【００９１】
ヒップフラップ５０は、吸収性物品１０の後方に位置する。ここで、約８割の使用者は、使用後の吸収性物品１０を前側から巻き始める。よって、テープ部材６０は、丸められた吸収性物品１０の表面に露出することになる。なお、図６では、テープ部材６０を引き延ばした状態が示されている。使用者は、ヒップフラップ５０から幅方向Ｗの外側へテープ部材６０を延出させ（図６参照）、裏面シート２２の別の位置に設けられた粘着部にテープ部材６０を付着させることによって、吸収性物品を丸めた状態に維持することができる（図７参照）。
【００９２】
また、ヒップフラップ５０は幅方向Ｗに膨らんだ部分であるため、テープ部材６０を粘着部に付着させる際に、ヒップフラップ５０が巻かれた吸収性物品１０の側面を覆うことになる（図７参照）。これにより、巻かれた吸収性物品１０の側面からの体液の漏れを防止することができる。また、ヒップフラップ５０が巻かれた吸収性物品１０の側面を覆うため、吸収性物品１０の肌面側に付着した体液を覆い隠すことができ、清潔感を向上させることができる。
【００９３】
第３実施形態において、本体粘着部７０は、前後方向Ｌに間隔をあけて設けられていてよい。この場合、前後方向Ｌにおけるテープ部材６０の幅Ｗ１は、前後方向Ｌにおける本体粘着部７０どうしの間隔Ｗ３より大きいことが好ましい。これにより、使用者がテープ部材６０を引き出した先に本体粘着部７０が存在しないということを防ぐことができる。したがって、使用者は、テープ部材６０を本体粘着部７０へ容易に取り付けることができる。
【００９４】
なお、前後方向Ｌにおける本体粘着部７０の間隔が複数存在する場合、テープ部材６０の幅Ｗ１は、前後方向Ｌにおける複数の間隔のうちの最大の間隔より大きいことがより好ましい。
【００９５】
本体粘着部７０の少なくとも一部は、テープ部材６０よりも前側に設けられていることが好ましい。テープ部材６０よりも前側に本体粘着部７０が存在するため、使用者は、ヒップフラップ５０から幅方向Ｗの外側へ延出させたテープ部材６０を、裏面シート２２の別の位置（前後方向Ｌにおける別の位置）に存在する本体粘着部７０に取り付けたときに、吸収性物品１０を丸めた状態で維持することができる。
【００９６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００９７】
例えば、上述した各実施形態に記載された構成及び特徴は、可能な限り組合せ及び／又は置き換え可能であることに留意されたい。
【００９８】
また、上記実施形態では、吸収性物品１０の使用後にテープ部材６０を本体粘着部７０に取り付けることについて説明した。しかしながら、これに限らず、テープ部材６０は、吸収性物品１０を丸めた状態で維持することができれば、ウイング粘着部４２やフラップ粘着部５２に取り付けられてもよい。なお、吸収性物品１０は比較的柔らかい物品であるため、必ずしもテープ部材６０を真っ直ぐに延ばした位置に粘着部４２，５２，７０が位置していなくても、テープ部材６０を粘着部４２，５２，７０に取り付けることができることに留意されたい。
【００９９】
なお、２０１６年６月２４日に出願された日本国特許出願第２０１６−１２６０８２号の全内容が、参照により、本明細書に組み込まれる。
【産業上の利用可能性】
【０１００】
上記態様に係る吸収性物品によれば、使用後に丸めた状態で維持することができ、かつ使用中の違和感や不快感を低減することができる。
【符号の説明】
【０１０１】
１０    吸収性物品
２０    表面シート
２２    裏面シート
３０    吸収体
４０    ウイング
４２    ウイング粘着部
５０    ヒップフラップ
５２    フラップ粘着部
６０    テープ部材
６２    固定部
７０    本体粘着部
Ｅ１    吸収性物品の前側縁
Ｅ２    吸収性物品の後側縁
Ｆ１    第１折り線
Ｆ２    第２折り線
Ｆ３    第３折り線
Ｓ１    排泄口対向域
Ｌ      前後方向
Ｗ      幅方向
Ｗ１    テープ部材の幅
Ｗ２    幅方向における本体粘着部どうしの間隔
Ｗ３    前後方向における本体粘着部どうしの間隔
【図１】
2017221941.tif 000003
【図２】
2017221941.tif 000004
【図３】
2017221941.tif 000005
【図４】
2017221941.tif 000006
【図５】
2017221941.tif 000007
【図６】
2017221941.tif 000008
【図７】
2017221941.tif 000009
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
前後方向と、
前記前後方向に直交する幅方向と、
着用者の肌とは反対側に向けられる裏面シートと、
前記裏面シートの非肌面側に設けられた粘着部と、を有する吸収性物品であって、
前記裏面シートの非肌面側に、前記吸収性物品の外縁よりも内側に配置されたテープ部材をさらに有し、
前記テープ部材は、前記吸収性物品の外縁よりも外側に延出可能に構成されており、
前記粘着部の少なくとも一部は、前記テープ部材よりも前側に設けられており、
前記テープ部材は前記吸収性物品の非肌面に固定された固定部を有しており、
前記テープ部材は、止着手段を有しておらず前記粘着部に粘着するよう構成されている、吸収性物品。
【請求項２】
前記幅方向に沿って延びた少なくとも２つの折り線を有し、
前記テープ部材は、前記折り線のうちの最も前側の折り線よりも前側、又は最も後側の折り線よりも後側に設けられている、請求項１に記載の吸収性物品。
【請求項３】
前記テープ部材は、前記前後方向における前記吸収性物品の縁から、前記前後方向における前記吸収性物品の長さの１／３の長さの範囲内に設けられている、請求項１又は２に記載の吸収性物品。
【請求項４】
前記テープ部材は、前記前後方向における前記吸収性物品の縁から、前記前後方向における前記吸収性物品の長さの１５％の長さの範囲内に設けられている、請求項３に記載の吸収性物品。
【請求項５】
着用者の排泄口と対向する領域よりも後方で前記幅方向の外側へ膨らんだヒップフラップを有し、
前記テープ部材は前記ヒップフラップに設けられており、
前記テープ部材は、前記幅方向における前記ヒップフラップの外側縁よりも外側に延出可能に構成されている、請求項１から４のいずれか１項に記載の吸収性物品。
【請求項６】
前記粘着部は、前記前後方向に間隔をあけて設けられており、
前記前後方向における前記テープ部材の幅は、前記前後方向における前記粘着部どうしの間隔より大きい、請求項５に記載の吸収性物品。
【請求項７】
前記粘着部の少なくとも一部は、前記前後方向における前記吸収性物品の両縁のうち前記テープ部材に近い方の縁から、前記前後方向における前記吸収性物品の長さの２／３の長さの範囲に設けられている、請求項１から６のいずれか１項に記載の吸収性物品。
【請求項８】
前記粘着部の少なくとも一部は、前記前後方向における前記吸収性物品の両縁のうち前記テープ部材に近い方の縁から、前記前後方向における前記吸収性物品の長さの４／５の長さの範囲に設けられている、請求項７に記載の吸収性物品。
【請求項９】
延出方向における前記テープ部材の先端部は、前記固定部とは反対側に向けられている、請求項１から８のいずれか１項に記載の吸収性物品。
【請求項１０】
前記テープ部材の前記裏面シートに接する面と、前記裏面シートの前記テープ部材に接する面と、の少なくとも一方が、静電気防止処理されている、請求項１から９のいずれか１項に記載の吸収性物品。
【請求項１１】
前記裏面シートよりも肌面側に設けられた吸収体を有し、
前記固定部の少なくとも一部は、前記吸収体と厚み方向に重なっている、請求項１から１０のいずれか１項に記載の吸収性物品。
【請求項１２】
前記裏面シートよりも肌面側に設けられた吸収体を有し、
前記テープ部材は、前記吸収体に形成されたエンボス又は前記吸収体に設けられた低目付領域と厚み方向に重なっている、請求項１から１１のいずれか１項に記載の吸収性物品。
【請求項１３】
前記テープ部材の少なくとも前記固定部を除く領域は、前記粘着部と重ならない位置に設けられている、請求項１から１２のいずれか１項に記載の吸収性物品。
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
前後方向と、  前記前後方向に直交する幅方向と、  着用者の肌とは反対側に向けられる裏面シートと、  前記裏面シートの非肌面側に設けられ、使用時に着衣に固定される粘着部と、を有する吸収性物品であって、  前記裏面シートの非肌面側に、前記吸収性物品の外縁よりも内側に配置されたテープ部材をさらに有し、  前記テープ部材は、前記吸収性物品の外縁よりも外側に延出可能に構成されており、 前記テープ部材は前記吸収性物品の非肌面に固定された固定部を有しており、  前記テープ部材は、止着手段を有しておらず、前記粘着部に粘着するよう構成されている、吸収性物品。
【請求項２】
前記幅方向に沿って延びた少なくとも２つの折り線を有し、  前記テープ部材は、前記折り線のうちの最も前側の折り線よりも前側、又は最も後側の折り線よりも後側に設けられている、請求項１に記載の吸収性物品。
【請求項３】
前記テープ部材は、前記前後方向における前記吸収性物品の縁から、前記前後方向における前記吸収性物品の長さの１／３の長さの範囲内に設けられている、請求項１又は２に記載の吸収性物品。
【請求項４】
前記テープ部材は、前記前後方向における前記吸収性物品の縁から、前記前後方向における前記吸収性物品の長さの１５％の長さの範囲内に設けられている、請求項３に記載の吸収性物品。
【請求項５】
着用者の排泄口と対向する領域よりも後方で前記幅方向の外側へ膨らんだヒップフラップを有し、  前記テープ部材は前記ヒップフラップに設けられており、  前記テープ部材は、前記幅方向における前記ヒップフラップの外側縁よりも外側に延出可能に構成されている、請求項１から４のいずれか１項に記載の吸収性物品。
【請求項６】
前記粘着部は、前記前後方向に間隔をあけて設けられており、  前記前後方向における前記テープ部材の幅は、前記前後方向における前記粘着部どうしの間隔より大きい、請求項５に記載の吸収性物品。
【請求項７】
前記粘着部の少なくとも一部は、前記前後方向における前記吸収性物品の両縁のうち前記テープ部材に近い方の縁から、前記前後方向における前記吸収性物品の長さの２／３の長さの範囲に設けられている、請求項１から６のいずれか１項に記載の吸収性物品。
【請求項８】
前記粘着部の少なくとも一部は、前記前後方向における前記吸収性物品の両縁のうち前記テープ部材に近い方の縁から、前記前後方向における前記吸収性物品の長さの４／５の長さの範囲に設けられている、請求項７に記載の吸収性物品。
【請求項９】
延出方向における前記テープ部材の先端部は、前記固定部とは反対側に向けられている、請求項１から８のいずれか１項に記載の吸収性物品。
【請求項１０】
前記テープ部材の前記裏面シートに接する面と、前記裏面シートの前記テープ部材に接する面と、の少なくとも一方が、コロナ処理されている、請求項１から９のいずれか１項に記載の吸収性物品。
【請求項１１】
前記裏面シートよりも肌面側に設けられた吸収体を有し、  前記固定部の少なくとも一部は、前記吸収体と厚み方向に重なっている、請求項１から１０のいずれか１項に記載の吸収性物品。
【請求項１２】
前記裏面シートよりも肌面側に設けられた吸収体を有し、  前記テープ部材は、前記吸収体に形成されたエンボス又は前記吸収体に設けられた低目付領域と厚み方向に重なっている、請求項１から１１のいずれか１項に記載の吸収性物品。
【請求項１３】
前記吸収性物品は生理用ナプキンであり、  前記テープ部材の少なくとも前記固定部を除く領域は、前記粘着部と重ならない位置に設けられている、請求項１から１２のいずれか１項に記載の吸収性物品。
【請求項１４】
前記テープ部材は、前記吸収性物品の後縁よりも後側に延出可能に構成されており、  前記粘着部の少なくとも一部は、前記テープ部材よりも前側に設けられている、請求項１から１３のいずれか１項に記載の吸収性物品。
【国際調査報告】
2017221941.tif 000010
2017221941.tif 000011
2017221941.tif 000012
2017221941.tif 000013